(57)【要約】  無線通信システムにおける信頼性のあるサービスの提供方法が提供される。前記方法は、前記フェムト基地局がサービスを提供できないことを知らせるサービス不能情報を端末にブロードキャスト（ｂｒｏａｄｃａｓｔ）するステップと、前記フェムト基地局への進入（ｅｎｔｒｙ）が禁止されることを指示するセル禁止指示子（ｃｅｌｌ  ｂａｒ  ｉｎｄｉｃａｔｉｏｎ）を設定するステップとを含む。前記サービス不能情報は、前記端末が進入可能な他の基地局である推薦基地局に関する識別情報を含む。無線通信システムにおける、端末による信頼性のあるサービスの受信方法が提供される。前記方法は、端末にサービスを提供できないことを知らせるサービス不能情報をフェムト基地局から受信し、前記サービス不能情報は、前記端末が進入可能な他の基地局である少なくとも１つの推薦基地局に関する識別情報を含み、前記サービス不能情報に基づいて前記少なくとも１つの推薦基地局のうちのいずれか１つの基地局への進入を試みることを含む。
2012532554.tif 000002
【特許請求の範囲】
【請求項１】
無線通信システムにおける、フェムト基地局による信頼性のあるサービスの提供方法において、
前記フェムト基地局による無線インタフェースが非活性化（ｄｉａｂｌｅ）されることを知らせるサービス不能情報を端末にブロードキャスト（ｂｒｏａｄｃａｓｔ）するステップと、
前記無線インタフェースを非活性化するステップとを含み、
前記サービス不能情報は、前記端末が進入可能な他の基地局である推薦基地局に関する識別情報を含むことを特徴とするサービスの提供方法。
【請求項２】
前記端末のコンテキスト情報（ｃｏｎｔｅｘｔ  ｉｎｆｏｒｍａｔｉｏｎ）を格納することをさらに含むことを特徴とする請求項１に記載のサービスの提供方法。
【請求項３】
前記サービス不能情報は、前記サービスの中断理由に関する情報、および前記サービスが中断される予想時間に関する情報をさらに含むことを特徴とする請求項１に記載のサービスの提供方法。
【請求項４】
前記サービス不能情報は、ブロードキャストメッセージ（ｂｒｏａｄｃａｓｔ  ｍｅｓｓａｇｅ）またはページングメッセージ（ｐａｇｉｎｇ  ｍｅｓｓａｇｅ）を介して伝送されることを特徴とする請求項１に記載のサービスの提供方法。
【請求項５】
前記推薦基地局は、前記フェムト基地局より広いカバレッジ（ｃｏｖｅｒａｇｅ）を提供するマクロ（Ｍａｃｒｏ）基地局であることを特徴とする請求項１に記載のサービスの提供方法。
【請求項６】
前記推薦基地局は、他のフェムト基地局であることを特徴とする請求項１に記載のサービスの提供方法。
【請求項７】
前記推薦基地局に前記端末のコンテキスト情報を伝送することをさらに含むことを特徴とする請求項１に記載のサービスの提供方法。
【請求項８】
前記端末のコンテキスト情報に対する応答として、受信確認応答を前記推薦基地局から受信することをさらに含むことを特徴とする請求項７に記載のサービスの提供方法。
【請求項９】
前記フェムト基地局のサービスが復旧されると、サービスの復旧を知らせる復旧情報を伝送するステップをさらに含むことを特徴とする請求項１に記載のサービスの提供方法。
【請求項１０】
前記方法は、前記フェムト基地局への進入（ｅｎｔｒｙ）が禁止されることを指示するセル禁止指示子（ｃｅｌｌ  ｂａｒ  ｉｎｄｉｃａｔｉｏｎ）を設定するステップをさらに含むことを特徴とする請求項１に記載のサービスの提供方法。
【請求項１１】
前記セル禁止指示子は、補助スーパーフレームヘッダ（Ｓｅｃｏｎｄａｒｙ  Ｓｕｐｅｒｆｒａｍｅ  Ｈｅａｄｅｒ；Ｓ−ＳＦＨ）に含まれることを特徴とする請求項１０に記載のサービスの提供方法。
【請求項１２】
無線通信システムにおける、端末による信頼性のあるサービスの受信方法において、
端末にサービスを提供できないことを知らせるサービス不能情報をフェムト基地局から受信し、前記サービス不能情報は、前記端末が進入可能な他の基地局である少なくとも１つの推薦基地局に関する識別情報を含み、
前記サービス不能情報に基づいて前記少なくとも１つの推薦基地局のうちのいずれか１つの基地局への進入を試みることを含むことを特徴とするサービスの受信方法。
【請求項１３】
前記サービス不能情報は、サービスの中断理由を示す理由、および予想中断時間を含むことを特徴とする請求項１２に記載のサービスの受信方法。
【請求項１４】
前記少なくとも１つの推薦基地局のうちのいずれか１つの基地局への進入を試みることは、前記いずれか１つの基地局に関する識別情報を含むハンドオーバのためのレンジング要請メッセージを伝送することを特徴とする請求項１３に記載のサービスの受信方法。
【請求項１５】
前記レンジング要請メッセージは、前記少なくとも１つの推薦基地局または前記フェムト基地局の隣接基地局に伝送されることを特徴とする請求項１４に記載のサービスの受信方法。
【請求項１６】
前記サービス不能情報を、ブロードキャストメッセージまたはページングメッセージを介して受信することを特徴とする請求項１２に記載のサービスの受信方法。
【請求項１７】
前記少なくとも１つの推薦基地局は、前記フェムト基地局とセル領域とが互いに重なるマクロ基地局であることを特徴とする請求項１２に記載のサービスの受信方法。
【発明の詳細な説明】
【技術分野】
【０００１】
本発明は、無線通信に関し、より詳細には、フェムトシステムにおける信頼性のある無線サービスの提供および受信方法に関する。
【背景技術】
【０００２】
通信の発展およびマルチメディア技術の普及に伴い、多様な大容量伝送技術が無線通信システムに適用されている。無線容量を増大させるための方法として、より多くの周波数資源を割り当てる方法があるが、限られた周波数資源を多数の使用者により多くの周波数資源を割り当てるのは限界があった。限られた周波数資源をより効率的に活用できる方法の１つとして、セルの大きさを小さくする方法がある。セルの大きさを小さくすると、１つの基地局がサービスすべき使用者の数が減少するため、基地局は、使用者により多くの周波数資源を割り当てることができる。セルの大きさを小さくすると、多数の使用者により良い状態の大容量サービスを提供することができる。
【０００３】
次世代無線インタフェース標準を定めるＩＥＥＥ８０２．１６Ｔａｓｋ  ＧｒｏｕｐおよびＩＥＥＥ８０２．１６基盤の広帯域無線接続システムのためのサービスおよびネットワーク規格を提供する非営利団体のＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）フォーラムでは、システムの効率の増大および室内（ｉｎｄｏｏｒ）環境でのサービスの質（Ｑｕａｌｉｔｙ  ｏｆ  Ｓｅｒｖｉｃｅ、ＱｏＳ）の改善のために、フェムトセル（ｆｅｍｔｏｃｅｌｌ）を支援する無線接続システムのための規格標準化作業を行っている。ＷｉＭＡＸフォーラムでは、フェムト基地局を、固定無線リンクまたは局地的な広帯域有線リンクを介してＩＰネットワークに連結される低電力低価格基地局として定義する。フェムト基地局は、家庭やオフィスに普及されているＩＰネットワークと連結され、ＩＰネットワークを介して移動通信システムのコアネットワーク（ｃｏｒｅ  ｎｅｔｗｏｒｋ）に接続して移動通信サービスを提供する。つまり、フェムト基地局は、デジタル加入者回線（ｄｉｇｉｔａｌ  ｓｕｂｓｃｒｉｂｅｒ  ｌｉｎｅ；ＤＳＬ）を介して移動通信システムのコアネットワークに連結可能である。移動通信システムの使用者は、室外で既存のマクロセル（ｍａｃｒｏ−ｃｅｌｌ）を介してサービスを受け、室内ではフェムトセルを介してサービスを受けることができる。フェムトセルは、既存のマクロセルのサービスが建物内で低下する点を補完して移動通信システムの室内カバレッジ（ｃｏｖｅｒａｇｅ）を改善し、定められた特定の使用者のみを対象にサービスを提供することができるため、高品質の音声サービスおよびデータサービスを提供することができる。そして、フェムトセルは、マクロセルから提供されない新たなサービスを提供することができ、フェムトセルの普及により有無線融合（Ｆｉｘｅｄ−Ｍｏｂｉｌｅ  Ｃｏｎｖｅｒｇｅｎｃｅ；ＦＭＣ）が加速化し、産業基盤費用が節減できる。
【０００４】
フェムト基地局のサービスは、ＩＰネットワークの回線状態の不良またはソフトウェア的再起動、パワーダウン（ｐｏｗｅｒ  ｄｏｗｎ）などに影響を受ける。例えば、フェムト基地局の電源が一時的に切れたり、移動通信システムのコアネットワークとの連結が切れることがあり、これにより、フェムト基地局のサービスが中断（ｏｕｔ  ｏｆ  ｓｅｒｖｉｃｅ）され得る。ＷｉＭＡＸ文書「Ｒｅｑｕｉｒｅｍｅｎｔｓ  ｆｏｒ  ＷｉＭＡＸ  Ｆｅｍｔｏｃｅｌｌ  Ｓｙｓｔｅｍ  ｖ．１．０．０」では、フェムト基地局の異常な動作の場合、無線インタフェースを直ちに非活性化するように明示している。また、「ＩＥＥＥ８０２．１６ｍ  Ｓｙｓｔｅｍ  Ｄｅｓｃｒｉｐｔｉｏｎ  Ｄｏｃｕｍｅｎｔ（ＳＤＤ）」では、フェムト基地局の信頼性保障のために次のように明示している。サービス提供ネットワークとフェムト基地局との通信が特定時間の間に切れると、フェムト基地局は、１）無線インタフェースを直ちに非活性化し、２）下位の使用者のサービス連続性を提供するために、基地局着手ハンドオーバのような方策を提供し、３）新たな使用者が他のセルから進入しないように公知する。
【０００５】
つまり、フェムト基地局が無線インタフェースを非活性化しようとする場合、フェムト基地局は、サービス中断に関する公知と共に、下位端末に対するハンドオーバ命令を出さなければならない。あるいは、フェムト基地局からサービス中断に関する公知を受けた端末は、隣接セルに直ちにハンドオーバを行わなければならない。この場合、多数の端末が同時にハンドオーバ手順を行うようになり、多数のハンドオーバ手順の処理によりハンドオーバの遅延が発生することがある。
【０００６】
したがって、フェムト基地局のサービス中断に伴うハンドオーバ手順がより効率的に実行できる方法が要求される。また、アイドルモード（ｉｄｌｅ  ｍｏｄｅ）の端末が、無線インタフェースが非活性化される予定の基地局にキャンプ（ｃａｍｐｉｎｇ）しないように、具体的なサービス中断に関する公知方法が必要になる。
【先行技術文献】
【特許文献】
【０００７】
【特許文献１】米国特許出願公開第２００９−０１５６２１３号
【発明の概要】
【発明が解決しようとする課題】
【０００８】
本発明が解決しようとする技術的課題は、フェムト基地局のサービス中断において、端末に対する連続的なサービス提供のためのハンドオーバを行う方法を提供することにある。
【課題を解決するための手段】
【０００９】
本発明の一態様において、無線通信システムにおける信頼性のあるサービスの提供方法が提供される。前記方法は、前記フェムト基地局がサービスを提供できないことを知らせるサービス不能情報を端末にブロードキャスト（ｂｒｏａｄｃａｓｔ）するステップと、前記フェムト基地局への進入（ｅｎｔｒｙ）が禁止されることを指示するセル禁止指示子（ｃｅｌｌ  ｂａｒ  ｉｎｄｉｃａｔｉｏｎ）を設定するステップとを含む。前記サービス不能情報は、前記端末が進入可能な他の基地局である推薦基地局に関する識別情報を含む。
【００１０】
前記方法は、前記端末のコンテキスト情報（ｃｏｎｔｅｘｔ  ｉｎｆｏｒｍａｔｉｏｎ）を格納することをさらに含むことができる。
【００１１】
前記サービス不能情報は、前記サービスの中断理由に関する情報、および前記サービスが中断される予想時間に関する情報をさらに含むことができる。
【００１２】
前記サービス不能情報は、ブロードキャストメッセージ（ｂｒｏａｄｃａｓｔ  ｍｅｓｓａｇｅ）またはページングメッセージ（ｐａｇｉｎｇ  ｍｅｓｓａｇｅ）を介して伝送できる。
【００１３】
前記推薦基地局は、前記フェムト基地局より広いカバレッジ（ｃｏｖｅｒａｇｅ）を提供するマクロ（Ｍａｃｒｏ）基地局であり得る。
【００１４】
前記推薦基地局は、フェムト基地局であり得る。
【００１５】
前記方法は、前記推薦基地局に前記端末のコンテキスト情報を伝送することをさらに含むことができる。
【００１６】
前記方法は、前記端末のコンテキスト情報に対する応答として、受信確認応答を前記推薦基地局から受信することをさらに含むことができる。
【００１７】
前記フェムト基地局のサービスが復旧されると、サービスの復旧を知らせる復旧情報を伝送するステップをさらに含むことができる。
【００１８】
前記セル禁止指示子は、補助スーパーフレームヘッダ（Ｓｅｃｏｎｄａｒｙ  Ｓｕｐｅｒｆｒａｍｅ  Ｈｅａｄｅｒ；Ｓ−ＳＦＨ）に含まれてもよい。
【００１９】
本発明の他の態様において、無線通信システムにおける、端末による信頼性のあるサービスの受信方法が提供される。前記方法は、端末にサービスを提供できないことを知らせるサービス不能情報をフェムト基地局から受信し、前記サービス不能情報は、前記端末が進入可能な他の基地局である少なくとも１つの推薦基地局に関する識別情報を含み、前記サービス不能情報に基づいて前記少なくとも１つの推薦基地局のうちのいずれか１つの基地局への進入を試みることを含む。
【００２０】
前記サービス不能情報は、サービスの中断理由を示す理由、および予想中断時間を含むことができる。
【００２１】
前記少なくとも１つの推薦基地局のうちのいずれか１つの基地局への進入を試みることは、前記いずれか１つの基地局に関する識別情報を含むハンドオーバのためのレンジング要請メッセージを伝送することであり得る。
【００２２】
前記レンジング要請メッセージは、前記少なくとも１つ以上の推薦基地局または前記フェムト基地局の隣接基地局に伝送できる。
【００２３】
前記サービス不能情報を、ブロードキャストメッセージまたはページングメッセージを介して受信することができる。
【００２４】
前記少なくとも１つの推薦基地局は、前記フェムト基地局とセル領域とが互いに重なるマクロ基地局であり得る。
【発明の効果】
【００２５】
フェムト基地局の無線インタフェース動作が停止する場合において、下位端末の迅速なハンドオーバを支援し、他のセルからのネットワーク進入を防止することができる。また、フェムト基地局のサービスが復旧される場合において、端末がフェムト基地局に効率的に再進入することができる。
【図面の簡単な説明】
【００２６】
【図１】無線通信システムを示すブロック図である。
【図２】フレーム構造の一例を示す。
【図３】本発明の一実施形態にかかる、フェムト基地局の予定されたサービス中断に伴うハンドオーバ手順を行う方法を示す。
【図４】本発明の一実施形態にかかる、フェムト基地局のサービス回復に伴うハンドオーバ手順を行う方法を示す。
【発明を実施するための形態】
【００２７】
以下、添付した図面を参考にして、本発明の実施形態について、本発明の属する技術分野における通常の知識を有する者が容易に実施できるように詳細に説明する。しかし、本発明は、種々の異なる形態で実現可能であり、ここで説明する実施形態に限定されない。そして、図面において、本発明を明確に説明するために、説明上不必要な部分は省略し、明細書全体にわたって類似の部分については類似の図面符号を付した。また、詳細な説明を省略しても本技術分野における当業者が容易に理解できる部分の説明は省略した。
【００２８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で実現できる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で実現できる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６ｅ（ＷｉＭＡＸ）、ＩＥＥＥ８０２−２０、Ｅ−ＵＴＲＡ（Ｅｖｏｌｖｅｄ  ＵＴＲＡ）などのような無線技術で実現できる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部として、ダウンリンクでＯＦＤＭＡを採用し、アップリンクでＳＣ−ＦＤＭＡを採用する。ＩＥＥＥ８０２．１６ｍは、ＩＥＥＥ８０２．１６ｅの進化である。
【００２９】
図１は、フェムトセルを支援するＷｉＭＡＸシステム構造の一例を示す。
【００３０】
図１を参照すると、一般的な無線通信システムは、端末（Ｕｓｅｒ  Ｅｑｕｉｐｍｅｎｔ、ＵＥ）と、基地局（Ｂａｓｅ  Ｓｔａｔｉｏｎ、ＢＳ）とを含む。無線通信システムは、音声、パケットデータなどのような多様な通信サービスを提供するために広く配置される。
【００３１】
端末は、固定されるかまたは移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）など、別の用語で呼ばれることがある。基地局は、一般的に、端末と通信する、固定された支点（ｆｉｘｅｄ  ｓｔａｔｉｏｎ）をいい、ノード−Ｂ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など、別の用語で呼ばれることがある。１つの基地局には、１つ以上のセル（ｃｅｌｌ）が存在することができる。
【００３２】
基地局は、セルカバレッジ（ｃｏｖｅｒａｇｅ）または配置方式により、フェムト基地局（ｆｅｍｔｏ  ＢＳ）と、マクロ基地局（ｍａｃｒｏ  ＢＳ）とに区分される。フェムト基地局のセルは、マクロ基地局のセルより小さい大きさを有する。フェムト基地局のセルの全部または一部は、マクロ基地局のセルと重なることができる。このように、広範囲のセル内に小さい範囲のセルが重複して配置される構造を階層的（ｈｉｅｒａｒｃｈｙ）セル構造という。フェムト基地局は、フェムトセル（ｆｅｍｔｏ−ｃｅｌｌ）、ホームノード−Ｂ（ｈｏｍｅ  ｎｏｄｅ−Ｂ）、ＣＳＧ（ｃｌｏｓｅｄ  ｓｕｂｓｃｒｉｂｅｒ  ｇｒｏｕｐ）、ＷＦＡＰ（ＷｉＭＡＸ  Ｆｅｍｔｏ  Ａｃｃｅｓｓ  Ｐｏｉｎｔ）など、別の用語で呼ばれることがある。マクロ基地局は、フェムトセルと区分して、マクロセル（ｍａｃｒｏ−ｃｅｌｌ）と呼ばれることがある。
【００３３】
フェムト基地局に接続する端末をフェムト端末（ｆｅｍｔｏ  ＵＥ）といい、マクロ基地局に接続する端末をマクロ端末（ｍａｃｒｏ  ＵＥ）という。フェムト端末は、マクロ基地局へのハンドオーバを介してマクロ端末となり得、マクロ端末は、フェムト基地局へのハンドオーバを介してフェムト端末となり得る。
【００３４】
フェムト基地局は、インターネットサービス事業者（ｉｎｔｅｒｎｅｔ  ｓｅｒｖｉｃｅ  ｐｒｏｖｉｄｅｒ、ＩＳＰ）が提供するインターネットに、ＤＳＬ（ｄｉｇｉｔａｌ  ｓｕｂｓｃｒｉｂｅｒ  ｌｉｎｅ）、ケーブル（ｃａｂｌｅ）、光ファイバ（Ｏｐｔｉｃａｌ  ｆｉｂｅｒ）、無線（Ｗｉｒｅｌｅｓｓ）などにより広帯域接続（ｂｒｏａｄｂａｎｄ  ｃｏｎｎｅｃｔｉｏｎ）が可能である。フェムト基地局は、インターネットを介してフェムトセル管理システム（ｆｅｍｔｏｃｅｌｌ  ｍａｎａｇｅｍｅｎｔ  ｓｙｓｔｅｍ）および移動通信システムのＡＳＮ（Ａｃｃｅｓｓ  Ｓｅｒｖｉｃｅ  Ｎｅｔｗｏｒｋ）に連結可能である。フェムトセル管理システムは、フェムト基地局が移動通信システムのＣＳＮ（Ｃｏｎｎｅｃｔｉｖｉｔｙ  Ｓｅｒｖｉｃｅ  Ｎｅｔｗｏｒｋ）に接続できるように、フェムト基地局の登録、認証およびセキュリティ手順などを行うことができる。
【００３５】
フェムト基地局は、家庭やＳＯＨＯ（ｓｍａｌｌ  ｏｆｆｉｃｅ  ｈｏｍｅ  ｏｆｆｉｃｅ）の使用者によって設置できる。フェムト基地局は、プラグアンドプレー（Ｐｌｕｇ＆Ｐｌａｙ）され、アイドルモード（ｉｄｌｅ  ｍｏｄｅ）を含んでマクロ基地局と同様のサービスを提供することができる。マクロ基地局のセル領域内に数十から数百のフェムト基地局が設置可能であり、フェムト基地局は、既存の中継器に代えて、陰影地域のサービスを改善し、マクロ基地局の負荷を軽減させることができる。
【００３６】
開放使用者グループ（Ｏｐｅｎ  Ｓｕｂｓｃｒｉｂｅｒ  Ｇｒｏｕｐ、以下、ＯＳＧ）のためのフェムト基地局は、端末を呼び出す時、マクロ基地局のように動作する。閉鎖使用者グループ（Ｃｌｏｓｅｄ  Ｓｕｂｓｃｒｉｂｅｒ  Ｇｒｏｕｐ、以下、ＣＳＧ）のためのフェムト基地局は、当該ＣＳＧに属する端末に限ってページングメッセージ（ｐａｇｉｎｇ  ｍｅｓｓａｇｅ）を放送することができる。フェムト基地局とマクロ基地局を支援するためのトポロジ（ｔｏｐｏｌｏｇｙ）に従って、１つまたはそれ以上のページンググループがフェムト基地局またはマクロ基地局に割り当てられる。重なったマクロ基地局とフェムト基地局とは、同じページンググループＩＤ（Ｉｄｅｎｔｉｆｉｅｒ）を共有することができる。フェムト基地局のアイドルモード支援のために、ＯＳＧおよびＣＳＧに対する定義は、「ＩＥＥＥ８０２．１６Ｔａｓｋ  Ｇｒｏｕｐ  ｍのＳＤＤ（Ｓｙｓｔｅｍ  Ｄｅｓｃｒｉｐｔｉｏｎ  Ｄｏｃｕｍｅｎｔ）」を参照することができる。
【００３７】
以下において、ダウンリンク（ｄｏｗｎｌｉｎｋ）とは、基地局から端末への伝送を意味し、アップリンク（ｕｐｌｉｎｋ）とは、端末から基地局への通信を意味する。ダウンリンクにおいて、送信機は基地局の一部分であり得、受信機は端末の一部分であり得る。アップリンクにおいて、送信機は端末の一部分であり得、受信機は基地局の一部分であり得る。
【００３８】
図２は、フレーム構造の一例を示す。階層的セル構造において、マクロセルおよびフェムトセルのうちの少なくともいずれか１つのフレーム構造であり得る。
【００３９】
図２を参照すると、スーパーフレーム（Ｓｕｐｅｒｆｒａｍｅ）は、スーパーフレームヘッダ（Ｓｕｐｅｒｆｒａｍｅ  Ｈｅａｄｅｒ、ＳＦＨ）と、４個のフレーム（ｆｒａｍｅ、Ｆ０、Ｆ１、Ｆ２、Ｆ３）とを含む。各スーパーフレームの大きさは２０ｍｓであり、各フレームの大きさは５ｍｓであるとして例示しているが、これに限定されるものではない。スーパーフレームヘッダは、スーパーフレームにおいて最も先に配置され、スーパーフレームヘッダには共用制御チャネル（Ｃｏｍｍｏｎ  Ｃｏｎｔｒｏｌ  Ｃｈａｎｎｅｌ）が割り当てられる。共用制御チャネルは、スーパーフレームを構成するフレームに関する情報またはシステム情報のように、セル内のすべての端末が共通して活用できる制御情報を伝送するために用いられるチャネルである。スーパーフレームヘッダ内またはスーパーフレームヘッダに隣接して同期信号（ｓｙｎｃｈｒｏｎｉｚａｔｉｏｎ  ｓｉｇｎａｌ）を伝送するための同期チャネルが配置可能である。同期信号は、セルＩＤ（ｉｄｅｎｔｉｆｉｅｒ）のようなセル情報を示すことができる。
【００４０】
スーパーフレームヘッダには、主スーパーフレームヘッダ（Ｐｒｉｍａｒｙ  Ｓｕｐｅｒｆｒａｍｅ  Ｈｅａｄｅｒ；Ｐ−ＳＦＨ）と、補助スーパーフレームヘッダ（Ｓｅｃｏｎｄａｒｙ  Ｓｕｐｅｒｆｒａｍｅ  Ｈｅａｄｅｒ；Ｓ−ＳＦＨ）とがある。
【００４１】
主スーパーフレームヘッダは、各スーパーフレームの最初のフレームに含まれ、主スーパーフレームヘッダは、下記の表のように構成される。
【表１】
2012532554.tif 000003
【００４２】
主スーパーフレームヘッダは、スーパーフレームごとに含まれ、現スーパーフレームに含まれた補助スーパーフレームが含まれているか否か、および現スーパーフレームで支援するシステム情報の更新番号などを知らせる。
【００４３】
補助スーパーフレームヘッダは、その性格に応じて、３種の補助スーパーフレームヘッダサブパケット（Ｓ−ＳＦＨ  ＳｕｂＰａｃｋｅｔ；Ｓ−ＳＦＨ  ＳＰ）に分けられ、各補助スーパーフレームヘッダサブパケットは、移動端末が基地局に接続するために知るべきシステム情報を移動端末に放送伝送するために用いられる。各補助スーパーフレームヘッダサブパケットは、それに含まれているシステム情報の性格に応じて、互いに異なる伝送周期により伝送できる。例えば、補助スーパーフレームヘッダサブパケット１は２スーパーフレーム周期、補助スーパーフレームヘッダサブパケット２は３スーパーフレーム周期、補助スーパーフレームヘッダサブパケット３は４スーパーフレーム周期で伝送できる。
【００４４】
１フレームは、複数のサブフレーム（Ｓｕｂｆｒａｍｅ、ＳＦ０、ＳＦ１、ＳＦ２、ＳＦ３、ＳＦ４、ＳＦ５、ＳＦ６、ＳＦ７）を含む。各サブフレームは、アップリンクまたはダウンリンク伝送のために用いることができる。サブフレームは、６個または７個のＯＦＤＭシンボルから構成されるが、これは例示に過ぎない。フレームには、ＴＤＤ（Ｔｉｍｅ  Ｄｉｖｉｓｉｏｎ  Ｄｕｐｌｅｘｉｎｇ）方式またはＦＤＤ（Ｆｒｅｑｕｅｎｃｙ  Ｄｉｖｉｓｉｏｎ  Ｄｕｐｌｅｘｉｎｇ）方式が適用可能である。ＴＤＤ方式において、各サブフレームは、同じ周波数で互いに異なる時間にアップリンク伝送またはダウンリンク伝送のために用いられる。つまり、ＴＤＤ方式のフレーム内のサブフレームは、時間領域でアップリンクサブフレームとダウンリンクサブフレームとに区分される。ＦＤＤ方式において、各サブフレームは、同じ時間の互いに異なる周波数でアップリンク伝送またはダウンリンク伝送のために用いられる。つまり、ＦＤＤ方式のフレーム内のサブフレームは、周波数領域でアップリンクサブフレームとダウンリンクサブフレームとに区分される。アップリンク伝送とダウンリンク伝送は、互いに異なる周波数帯域を占めており、同時に行われることが可能である。各サブフレームには、サブフレームヘッダ（ｓｕｂｆｒａｍｅ  ｈｅａｄｅｒ）が含まれてもよい。サブフレームヘッダには、サブフレームの無線資源割り当て情報などが含まれてもよい。
【００４５】
サブフレームは、少なくとも１つの周波数区画（Ｆｒｅｑｕｅｎｃｙ  Ｐａｒｔｉｔｉｏｎ）を含む。周波数区画は、少なくとも１つの物理的資源ユニット（Ｐｈｙｓｉｃａｌ  Ｒｅｓｏｕｒｃｅ  Ｕｎｉｔ、ＰＲＵ）から構成される。周波数区画は、局部的（Ｌｏｃａｌｉｚｅｄ）ＰＲＵおよび／または分散的（Ｄｉｓｔｒｉｂｕｔｅｄ）ＰＲＵを含むことができる。周波数区画は、部分的周波数再使用（Ｆｒａｃｔｉｏｎａｌ  Ｆｒｅｑｕｅｎｃｙ  Ｒｅｕｓｅ、ＦＦＲ）またはマルチキャストおよびブロードキャストサービス（Ｍｕｌｔｉｃａｓｔ  ａｎｄ  Ｂｒｏａｄｃａｓｔ  Ｓｅｒｖｉｃｅｓ、ＭＢＳ）のような他の目的のために用いることができる。
【００４６】
ＰＲＵは、複数の連続的なＯＦＤＭシンボルと複数の連続的な副搬送波とを含む、資源割り当てのための基本的な物理的ユニットとして定義される。ＰＲＵに含まれるＯＦＤＭシンボルの数は、１サブフレームに含まれるＯＦＤＭシンボルの個数と同一であり得る。例えば、１サーフフレームが６個のＯＦＤＭシンボルから構成される時、ＰＲＵは、１８副搬送波および６ＯＦＤＭシンボルとして定義可能である。論理的資源ユニット（Ｌｏｇｉｃａｌ  Ｒｅｓｏｕｒｃｅ  Ｕｎｉｔ、ＬＲＵ）は、分散的（ｄｉｓｔｒｉｂｕｔｅｄ）資源割り当ておよび局部的（ｌｏｃａｌｉｚｅｄ）資源割り当てのための基本的な論理単位である。ＬＲＵは、複数のＯＦＤＭシンボルおよび複数の副搬送波として定義され、ＰＲＵで用いられるパイロットを含む。したがって、１ＬＲＵでの適切な副搬送波の個数は、割り当てられたパイロットの数に依存する。
【００４７】
論理的分散資源ユニット（Ｌｏｇｉｃａｌ  Ｄｉｓｔｒｉｂｕｔｅｄ  Ｒｅｓｏｕｒｃｅ  Ｕｎｉｔ、ＤＲＵ）は、周波数ダイバーシティ利得を得るために用いることができる。ＤＲＵは、１つの周波数区画内に分散された副搬送波グループを含む。ＤＲＵの大きさは、ＰＲＵの大きさと同一である。ＤＲＵを形成する最小単位は、１つの副搬送波である。
【００４８】
論理的連続資源ユニット（Ｌｏｇｉｃａｌ  Ｃｏｎｔｉｇｕｏｕｓ  Ｒｅｓｏｕｒｃｅ  Ｕｎｉｔ、ＣＲＵ）は、周波数選択的スケジューリング利得を得るために用いることができる。ＣＲＵは、局部的副搬送波グループを含む。ＣＲＵの大きさは、ＰＲＵの大きさと同一である。
【００４９】
次に、フェムト基地局のサービスの中断および回復に伴うハンドオーバ手順を行う方法について説明する。フェムト基地局のサービスの状態は、サービス中断（ｏｕｔ  ｏｆ  ｓｅｒｖｉｃｅ）およびサービス回復（ｓｅｒｖｉｃｅ  ｒｅｃｏｖｅｒｙ）の状態を含む。サービス中断は、フェムト基地局による無線インタフェースが非活性化された状態を意味し、サービス回復は、フェムト基地局がサービス中断から無線インタフェースが活性化された状態を意味する。フェムト基地局のサービス中断は、予定された（ｓｃｈｅｄｕｌｅｄ）サービス中断および予定されかった（ｕｎｓｃｈｅｄｕｌｅｄ）サービス中断に分けられる。例えば、ソフトウェア（ｓｏｆｔｗａｒｅ）のダウンロード（ｄｏｗｎｌｏａｄ）／インストール（ｉｎｓｔａｌｌ）などにより再起動（ｒｅｂｏｏｔ）する必要がある場合、またはフェムト基地局の電源遮断が予定された場合、フェムト基地局は、自身のサービス中断をスケジューリングして動作することができる。予定されなかったサービス中断は、フェムト基地局の電源またはバックホールリンク（ｂａｃｋｈａｕｌ  ｌｉｎｋ）が突然切れるなどの、フェムト基地局がサービス中断をスケジューリングできなかった場合に発生し得る。
【００５０】
図３は、本発明の一実施形態にかかる、フェムト基地局の予定されたサービス中断に伴うハンドオーバ手順を行う方法を示す。
【００５１】
図３を参照すると、端末＃１は、基地局＃１（以下、フェムト基地局＃１）に接続してデータを送受信し（Ｓ１１０）、端末＃２は、フェムト基地局＃１に接続してデータを送受信する（Ｓ１１５）と仮定する。
【００５２】
フェムト基地局＃１は、サービス中断（ｏｕｔ  ｏｆ  ｓｅｒｖｉｃｅ）をスケジューリングする（Ｓ１２０）。フェムト基地局＃１は、ソフトウェアのダウンロード／インストールのための再起動、フェムトセルの運営政策などにより、サービス中断をスケジューリングすることができる。つまり、フェムト基地局＃１は、予定されたサービス中断を行う。フェムト基地局＃１がバッテリを用いることができる場合、フェムト基地局＃１の主電力が遮断されると、一定時間の間バッテリを用いた、予定されたサービス中断過程が行われてもよい。ここでは、フェムト基地局の予定されたサービス中断がデータの送受信を行う端末が存在する場合に行われるとして示したが、フェムト基地局からサービスを受けるすべての端末がアイドルモード（ｉｄｌｅ  ｍｏｄｅ）またはスリープモード（ｓｌｅｅｐ  ｍｏｄｅ）の場合に、フェムト基地局の予定されたサービス中断が行われてもよい。
【００５３】
フェムト基地局＃１は、サービス不能情報を端末に伝送する（Ｓ１３０）。サービス不能情報は、ブロードキャストメッセージ（ｂｒｏａｄｃａｓｔ  ｍｅｓｓａｇｅ）またはページングメッセージ（ｐａｇｉｎｇ  ｍｅｓｓａｇｅ）を介して、予定されたサービス中断時まで少なくとも２回以上繰り返し伝送できる。また、サービス不能情報は、ＡＡＩ＿ＳＯＮ（Ｓｅｌｆ  Ｏｒｇａｎｉｚｉｎｇ  Ｎｅｔｗｏｒｋｓ）−ＡＤＶメッセージであり得る。
【００５４】
端末＃１および端末＃２は、サービス不能情報を受信することができ、サービス不能情報をハンドオーバ命令メッセージとして見なすことができる。サービス不能情報の伝送と共に、スーパーフレームヘッダ（ＳｕｐｅｒＦｒａｍｅ  Ｈｅａｄｅｒ；以下、ＳＦＨ）または補助スーパーフレームヘッダ（Ｓｅｃｏｎｄａｒｙ  ＳｕｐｅｒＦｒａｍｅ  Ｈｅａｄｅｒ；以下、Ｓ−ＳＦＨ）に含まれるセル禁止指示子（ｃｅｌｌ  ｂａｒ  ｉｎｄｉｃａｔｉｏｎ）が１に設定され、他のセルからフェムト基地局＃１に進入／再進入することを防止することができる。セル禁止指示子は、端末のネットワーク進入／再進入を許容するか否かを指示するもので、セル禁止指示子の値が０であれば、端末のネットワーク進入／再進入を許容し、１であれば、端末のネットワーク進入／再進入を許容しない。フェムト基地局＃１を介してネットワーク進入／再進入を試みようとする端末は、フェムト基地局＃１から伝送されるＳＦＨまたはＳ−ＳＦＨに含まれているセル禁止指示子の値が１に指定されたことを確認し、ネットワーク進入／再進入を行わない。
【００５５】
サービス不能情報には、サービス中断理由（ｒｅａｓｏｎ）、予想中断時間（ｅｘｐｅｃｔｅｄ  ｄｏｗｎｔｉｍｅ）、予想回復時間（ｅｘｐｅｃｔｅｄ  ｕｐｔｉｍｅ）、推薦基地局ＩＤ（ｒｅｃｏｍｍｅｎｄｅｄ  ＢＳＩＤ）などが含まれてもよい。予想中断時間は、サービス中断に対するスケジューリングによるフェムト基地局のサービスが中断される時刻を示し、予想回復時間は、フェムト基地局のサービスが復旧されてサービスを再開する時刻、またはサービスが中断された後からサービスが復旧されるまでの期間を意味する。予想回復時間は、選択的な要素に該当するため、サービス中断情報に含まれてもよく、含まれなくてもよい。予想回復時間が経過すると、サービス中断により他の基地局にハンドオーバを行った端末は、ハンドオーバを介して再び前のフェムト基地局に復帰する否かに関する指示を受けなかった場合でも、前に加入していたフェムト基地局をスキャンすることができる。
【００５６】
サービス中断理由は、フェムト基地局のシャットダウン（ｓｈｕｔｄｏｗｎ）、バックホールリンクダウン（ｂａｃｋｈａｕｌ  ｌｉｎｋ  ｄｏｗｎ）などのサービスが中断される理由を示す。また、資源調整に関する意味を示すことができる。フェムト基地局＃１に元々加入されているいくつかの端末に影響を及ぼし得る干渉緩和（ｉｎｔｅｒｆｅｒｅｎｃｅ  ｍｉｔｉｇａｔｉｏｎ）によるフェムト基地局の資源調整が行われる時、フェムト基地局は、従属している端末のサービス中断を防止するために、資源調整情報に関する意味を伝達するのにも用いることができる。サービス不能情報に含まれているサービス中断理由は、具体的には、２ビットの大きさを有するフィールドの形態を有することができ、各々のビット値を有する際の意味は、下記の表２のとおりである。
【表２】
2012532554.tif 000004
【００５７】
推薦基地局は、フェムト基地局＃１がサービス中だった端末が、ハンドオーバ（Ｈａｎｄ  Ｏｖｅｒ；ＨＯ）を試みる対象のターゲット基地局（ｔａｒｇｅｔ  ＢＳ）となり得る潜在的な基地局を意味する。また、推薦基地局は、フェムト基地局＃１がサービス中の端末の情報（ｃｏｎｔｅｘｔ  ｉｎｆｏｒｍａｔｉｏｎ）を伝達した基地局または隣接基地局であり得る。推薦基地局は、フェムト基地局＃１とセル領域とが互いに重なるマクロ基地局または他のフェムト基地局であり得る。推薦基地局ＩＤは、フェムト基地局＃１がサービス中の端末の情報を伝達した基地局または隣接基地局の識別子情報を示す。推薦基地局ＩＤは、少なくとも１つ以上の基地局ＩＤを含むことができる。推薦基地局には、フェムト基地局＃１がサービス中の端末の情報が伝達できる。端末は、優先的に推薦基地局のうちのいずれか１つをハンドオーバのためのターゲット基地局として考慮するようになる。ここでは、推薦基地局として基地局＃３（以下、マクロ基地局）が指示される（ＲｅｃＢＳＩＤ＝３）。
【００５８】
サービス不能情報は、ハンドオーバが行われる場合、ハンドオーバがコーディネート（ｃｏｏｒｄｉｎａｔｅ）されるか否かを知らせることにより、端末がどのようなハンドオーバ手順を行うかを決定できるようにする指示子をさらに含むことができる。
【００５９】
フェムト基地局＃１は、マクロ基地局に端末情報をバックボーンネットワーク（ｂａｃｋｂｏｎｅ  ｎｅｔｗｏｒｋ）を介して伝送する（Ｓ１４０）。つまり、マクロ基地局は、推薦基地局となる。フェムト基地局＃１は、マクロ基地局に端末情報を伝送して端末のハンドオーバがより迅速に行われるようにする。マクロ基地局は、フェムト基地局＃１の端末情報の伝送に対する応答として、受信確認応答（Ａｃｋｎｏｗｌｅｄｇｅｍｅｎｔ；ＡＣＫ）信号を伝送することができ、必要に応じて、受信失敗応答（Ｎｏｎ  Ａｃｋｏｗｌｅｄｇｅｍｅｎｔ；ＮＡＣＫ）信号を伝送することができる（Ｓ１４５）。
【００６０】
追加的に、フェムト基地局＃１は、サービス中の端末の情報（ｃｏｎｔｅｘｔ  ｉｎｆｏｒｍａｔｉｏｎ）を格納しておくことができる。端末の情報は、基本的な能力値（ｂａｓｉｃ  ｃａｐａｂｉｌｉｔｉｅｓ）およびセキュリティ能力値（ｓｅｃｕｒｉｔｙ  ｃａｐａｂｉｌｉｔｉｅｓ）を含むことができる。端末の情報は、フェムト基地局＃１が再びサービスを提供できるように回復された時、ＡＭＳがフェムト基地局＃１に最適化された再進入（ｒｅｅｎｔｒｙ）手順を行うことができるようにする。
【００６１】
端末＃１は、基地局＃２（以下、フェムト基地局＃２）にハンドオーバを行い、端末＃２は、マクロ基地局にハンドオーバを行うと仮定する。
【００６２】
端末＃２は、予想中断時間以内にハンドオーバを行うと推定されると、フェムト基地局＃１にハンドオーバ情報を伝送することができる（Ｓ１５０）。フェムト基地局＃１は、サービスが中断される前に端末＃２のハンドオーバ手順を支援し、端末＃２は、マクロ基地局にネットワーク再進入を行うことができる（Ｓ１５５）。端末＃２は、ハンドオーバのためのレンジング要請（ｒａｎｇｉｎｇ  ｒｅｑｕｅｓｔ）メッセージを伝送し、マクロ基地局は、レンジング要請メッセージに対する応答として、レンジング応答メッセージを伝送する。レンジング要請メッセージには、サービング基地局ＩＤと共に推薦基地局ＩＤが含まれてもよい。マクロ基地局は、フェムト基地局＃１から予め伝達された端末情報を活用して端末＃２のネットワーク再進入をより効率的に支援することができる。
【００６３】
端末＃１は、予想中断時間以内にハンドオーバを行うことができないと推定されるか、ハンドオーバを行っている途中にフェムト基地局＃１との通信が断絶されると、推薦基地局ＩＤ（ＳｅｒＢＳＩＤ＝３）を含むレンジング要請メッセージを伝送してネットワーク再進入を行うことができる（Ｓ１６０）。つまり、端末＃１は、レンジング要請メッセージに含まれるサービング基地局ＩＤに端末情報が予め伝達された推薦基地局であるマクロ基地局ＩＤを入力して伝送する。
【００６４】
フェムト基地局＃２は、端末＃１から受信されたレンジング要請メッセージに含まれているサービング基地局ＩＤを確認し、マクロ基地局に端末情報を要請する（Ｓ１７０）。マクロ基地局は、端末情報をフェムト基地局＃２に伝送する（Ｓ１７５）。フェムト基地局＃２は、マクロ基地局、つまり、推薦基地局から端末情報を取得し、端末＃１のネットワーク再進入を効率的に支援することができる。
【００６５】
図４は、本発明の一実施形態にかかる、フェムト基地局のサービス回復に伴うハンドオーバ手順を行う方法を示す。
【００６６】
図４を参照すると、フェムト基地局のバックホールリンクダウンおよび無線インタフェースの非活性化後、フェムト基地局のバックホールリンクの回復に伴って端末のハンドオーバ手順が行われる場合である。
【００６７】
端末＃１および端末＃２がフェムト基地局＃１に接続してデータを送受信するとする（Ｓ２１０、Ｓ２１５）。フェムト基地局＃１は、バックホールリンクが指定された時間以上切れていると、無線インタフェースを非活性化する（Ｓ２２０）。この時、フェムト基地局＃１は、自身がサービスしていた端末情報（例えば、端末ＩＤリスト）を保持する。フェムト基地局＃１に格納された端末情報は、フェムト基地局＃１のバックホールリンクが正常に復旧され、隣接基地局へのハンドオーバを行った端末がフェムト基地局＃１に再びハンドオーバを行う時、ネットワークへの再進入を効率的に支援するために用いることができる。
【００６８】
端末＃２は、マクロ基地局にハンドオーバ手順を行ってマクロ基地局とデータを送受信し（Ｓ２３０）、端末＃１は、フェムト基地局＃２にハンドオーバ手順を行ってフェムト基地局＃２とデータを送受信する（Ｓ２３５）とする。端末＃１および端末＃２のハンドオーバ手順は、図３で述べたように行われることが可能である。
【００６９】
フェムト基地局＃１は、バックホールリンクが回復すると、サービス復旧情報を隣接基地局に知らせる（Ｓ２４０）。つまり、フェムト基地局＃１は、端末に対するサービスが復旧されると、サービス復旧情報を隣接基地局に知らせる。サービス復旧情報は、バックホールネットワーク（ｂａｃｋｈａｕｌ  ｎｅｔｗｏｒｋ）のインタフェースを介して端末をサービスしている現在のサービング基地局に伝送される。本図面には、バックホールリンクが回復する場合を示しているが、これに限定されず、フェムト基地局＃１がサービスを再開する場合を含むことができる。
【００７０】
サービス復旧情報は、フェムト基地局＃１のＩＤ、フェムト基地局＃１の状態情報、フェムト基地局＃１が格納している端末情報などを含む。フェムト基地局の状態情報は、フェムト基地局の初期化またはバックホールリンクダウンからの復旧などの情報を意味する。端末情報は、フェムト基地局がサービスを提供していた端末のＩＤを含む。
【００７１】
サービス復旧情報を受信したマクロ基地局は、端末情報に含まれている端末ＩＤを確認し、当該端末（端末＃２）に割り当てられたファストフィードバック（ｆａｓｔ  ｆｅｅｄｂａｃｋ）情報を伝送する（Ｓ２５０）。ファストフィードバックは、基地局から速い応答が要求される情報の伝送のために用いられる。ファストフィードバックチャネルは、少なくとも１つのＰＲＵまたはＣＲＵを含むことができる。
【００７２】
フェムト基地局＃１は、端末＃２のファストフィードバック報告を測定し、マクロ基地局に測定情報を伝送する（Ｓ２２５）。つまり、フェムト基地局＃１は、端末＃２から伝送されるファストフィードバック報告に基づいて端末＃２に対するチャネル状態を測定することができ、これをマクロ基地局に報告して端末＃２に対するハンドオーバを行うか否かを決定するようにする。チャネル状態測定情報は、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）またはＲＳＳＩ（Ｒｅｃｅｉｖｅｄ  Ｓｉｇｎａｌ  ｓｔｒｅｎｇｔｈ  ｉｎｄｉｃａｔｉｏｎ）として表現できる。
【００７３】
マクロ基地局は、フェムト基地局＃１から受信された測定情報に基づいて端末＃２のハンドオーバの可否を決定する（Ｓ２６０）。フェムト基地局＃１から受信された端末＃２に対するチャネル状態が閾値より高いと判断されると、マクロ基地局は、端末＃２をフェムト基地局＃１にハンドオーバさせると決定することができる。
【００７４】
現在サービスを提供する基地局およびフェムト基地局＃１のような前の（ｐｒｅｖｉｏｕｓ）サービス提供フェムト基地局のセルタイプ基盤および移動性管理政策（ｍｏｂｉｌｉｔｙ  ｍａｎａｇｅｍｅｎｔ  ｐｏｌｉｃｙ）により、マクロ基地局を含む端末に対して現在サービスを提供する基地局は、端末が前のサービス提供フェムト基地局に復帰するハンドオーバを開始させることができる。この時、フェムト基地局＃１のような前のサービス提供フェムト基地局は、ハンドオーバ対象基地局として最優先権を有する。
【００７５】
端末＃２をフェムト基地局＃１にハンドオーバさせることを決定すると、マクロ基地局は、端末＃２にハンドオーバ命令メッセージを伝送する（Ｓ２７０）。端末＃２は、ハンドオーバ命令メッセージによりフェムト基地局＃１にハンドオーバ手順を行ってネットワークに再進入し、フェムト基地局＃１とのデータの送受信を行うことができる（Ｓ２７５）。フェムト基地局＃１は、自身が格納している端末情報を用いて端末＃２のネットワーク再進入およびデータの送受信を支援することができる。
【００７６】
フェムト基地局＃１からサービス復旧情報を受信したフェムト基地局＃２も、端末＃１に対してマクロ基地局と同様の手順を行う。この時、端末＃１がすでにフェムト基地局＃１のセル領域を逸脱した場合には、ハンドオーバ命令メッセージが伝送されなくてもよい。端末＃１がフェムト基地局＃１のセル領域を逸脱してハンドオーバ命令メッセージが伝送されなかった場合、端末＃１は、フェムト基地局＃２とデータの送受信をそのまま行うことができる（Ｓ２８０）。
【００７７】
上述したフェムト基地局のバックホールリンクの復旧に伴うハンドオーバ手順は、フェムト基地局が初期化過程にも適用可能である。フェムト基地局の電源がオン（ｏｎ）にされて自動構成が行われる時、フェムト基地局は、セル領域が重なったマクロ基地局または隣接するフェムト基地局にサービス開始情報を伝送する。サービス開始情報は、上述したサービス復旧情報に対応する。サービス開始情報を受信した基地局は、場合に応じて、サービス中の端末に割り当てられたファストフィードバック情報を知らせ、フェムト基地局は、ファストフィードバック情報を用いて当該端末のチャネル状態を測定し、端末のチャネル状態を示すＣＩＮＲまたはＲＳＳＩが予め定められた閾値以上のファストフィードバックチャネルに対して測定情報を伝送することができる。フェムト基地局から測定情報を受信した基地局は、これに基づいて当該端末にチャネルスキャニング（ｓｃａｎｎｉｎｇ）を要求するか、フェムト基地局へのハンドオーバを命令することができる。
【００７８】
上述したすべての機能は、上記機能を果たすようにコーディングされたソフトウェアやプログラムコードなどによるマイクロプロセッサ、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより実行可能である。前記コードの設計、開発および実現は、本発明の説明に基づいて当業者にとって自明である。
【００７９】
以上、本発明について実施形態を参照して説明したが、当該技術分野における通常の知識を有する者は、本発明の技術的思想および領域を逸脱しない範囲内で本発明を多様に修正および変更させて実施できることを理解することができる。したがって、上述した実施形態に限定されず、本発明は、以下の特許請求の範囲の範囲内のすべての実施形態を含むというべきである。
【図１】
2012532554.tif 000005
【図２】
2012532554.tif 000006
【図３】
2012532554.tif 000007
【図４】
2012532554.tif 000008
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
無線通信システムにおける、フェムト基地局による信頼性のあるサービスの提供方法において、
前記フェムト基地局による無線インタフェースが非活性化（ｄｉａｂｌｅ）されることを知らせるサービス不能情報を端末にブロードキャスト（ｂｒｏａｄｃａｓｔ）するステップと、
前記無線インタフェースを非活性化するステップとを含み、
前記サービス不能情報は、前記端末が進入可能な他の基地局である推薦基地局に関する識別情報を含むことを特徴とするサービスの提供方法。
【請求項２】
前記端末のコンテキスト情報（ｃｏｎｔｅｘｔ  ｉｎｆｏｒｍａｔｉｏｎ）を格納することをさらに含むことを特徴とする請求項１に記載のサービスの提供方法。
【請求項３】
前記サービス不能情報は、前記サービスの中断理由に関する情報をさらに含むことを特徴とする請求項１に記載のサービスの提供方法。
【請求項４】
前記サービス不能情報は、前記サービスが中断される予想時間に関する情報をさらに含む請求項１に記載のサービスの提供方法。
【請求項５】
前記推薦基地局は、前記フェムト基地局より広いカバレッジ（ｃｏｖｅｒａｇｅ）を提供するマクロ（Ｍａｃｒｏ）基地局であることを特徴とする請求項１に記載のサービスの提供方法。
【請求項６】
前記推薦基地局は、他のフェムト基地局であることを特徴とする請求項１に記載のサービスの提供方法。
【請求項７】
前記推薦基地局に前記端末のコンテキスト情報を伝送することをさらに含むことを特徴とする請求項１に記載のサービスの提供方法。
【請求項８】
前記端末のコンテキスト情報に対する応答として、受信確認応答を前記推薦基地局から受信することをさらに含むことを特徴とする請求項７に記載のサービスの提供方法。
【請求項９】
前記フェムト基地局のサービスが復旧されると、サービスの復旧を知らせる復旧情報を伝送するステップをさらに含むことを特徴とする請求項１に記載のサービスの提供方法。
【請求項１０】
前記方法は、前記フェムト基地局への進入（ｅｎｔｒｙ）が禁止されることを指示するセル禁止指示子（ｃｅｌｌ  ｂａｒ  ｉｎｄｉｃａｔｉｏｎ）を設定するステップをさらに含むことを特徴とする請求項１に記載のサービスの提供方法。
【請求項１１】
前記セル禁止指示子は、補助スーパーフレームヘッダ（Ｓｅｃｏｎｄａｒｙ  Ｓｕｐｅｒｆｒａｍｅ  Ｈｅａｄｅｒ；Ｓ−ＳＦＨ）に含まれることを特徴とする請求項１０に記載のサービスの提供方法。
【請求項１２】
無線通信システムにおける、端末による信頼性のあるサービスの受信方法において、
端末にサービスを提供できないことを知らせるサービス不能情報をフェムト基地局から受信する段階、及び
前記サービス不能情報に基づいて前記端末が進入可能な他の基地局である少なくとも１つの推薦基地局のうちのいずれか１つの基地局への進入を試みる段階を含み、
前記サービス不能情報は、前記少なくとも１つの推薦基地局に関する識別情報を含むことを特徴とするサービスの受信方法。
【請求項１３】
前記サービス不能情報は、サービスの中断理由を示す理由を含むことを特徴とする請求項１２に記載のサービスの受信方法。
【請求項１４】
前記少なくとも１つの推薦基地局のうちのいずれか１つの基地局への進入を試みることは、前記いずれか１つの基地局に関する識別情報を含むハンドオーバのためのレンジング要請メッセージを伝送することを特徴とする請求項１３に記載のサービスの受信方法。
【請求項１５】
前記レンジング要請メッセージは、前記少なくとも１つの推薦基地局または前記フェムト基地局の隣接基地局に伝送されることを特徴とする請求項１４に記載のサービスの受信方法。
【請求項１６】
前記サービス不能情報を、ブロードキャストメッセージまたはページングメッセージを介して受信することを特徴とする請求項１２に記載のサービスの受信方法。
【請求項１７】
前記少なくとも１つの推薦基地局は、前記フェムト基地局とセル領域とが互いに重なるマクロ基地局であることを特徴とする請求項１２に記載のサービスの受信方法。
【請求項１８】
前記サービス不能情報は、前記サービスが中断される予想時間に関する情報をさらに含む、請求項１３に記載のサービスの受信方法。
【国際調査報告】
2012532554.tif 000009
2012532554.tif 000010
2012532554.tif 000011
2012532554.tif 000012